(57)【特許請求の範囲】
【請求項１】
被験者の甲状腺に存在する放射性同位元素の放射線像を得るための放射性同位元素検出用プローブであって、
軟質合成樹脂により形成され、首に対してほぼ一巻状に巻回される長さと、首の長さに相当する幅とを有して被験者の首に巻き付け固定可能に構成された固定具と、
この固定具に支持固定され、可視光を遮光する遮光袋と、
この遮光袋内に挿入され、輝尽性蛍光体を含有する放射線像変換板とを備え、
前記遮光袋とこの遮光袋内に挿入される前記放射線像変換板とが、被験者の首の喉側に面するようにして前記固定具に支持固定されていることを特徴とする放射性同位元素検出用プローブ。
【請求項２】
被験者の甲状腺に存在する放射性同位元素の放射線像を得るための放射性同位元素検出用プローブであって、
中央に開口部を有する略矩形枠状の上面壁と、この上面壁の左右両側端から下方へ延出する一対の側片を備えて門形断面形状に形成され、仰向けに横たわる被験者の首に跨ぐように嵌め込まれて首に固定可能に構成された固定具と、
前記上面壁の開口部に支持固定され、可視光を遮光する遮光袋と、
この遮光袋内に挿入され、輝尽性蛍光体を含有する放射線像変換板とを備え、
前記固定具における前記一対の側片の下端面に高さ調整用のねじ式の脚部が設けられることで前記上面壁の高さを被験者の首の高さに応じて調節できるようにされ、
前記上面壁の下側及び前記一対の側片の内側には緩衝材が配されていることを特徴とする放射性同位元素検出用プローブ。
【発明の詳細な説明】
【技術分野】
【０００１】
本発明は、放射性同位元素検出用プローブに関する。
【背景技術】
【０００２】
放射性同位元素（ラジオアイソトープ）は、研究、教育、産業、医療等に幅広く利用されている。
例えば、各種医学診断のために用いられている。また、作業者が、放射性同位元素を誤った方法で使用すると、これが体内に摂取されて体内汚染を起こすおそれがある。例えば、放射性ヨウ素を用いた場合には、摂取された放射性ヨウ素は甲状腺内に蓄積されて甲状腺を被爆させる。
核医学検査では患者の放射性同位元素の摂取量や体内分布を調べるために、シンチレーション検出器及びシンチレーションカメラ（シンチカメラ、ガンマカメラ）を用いた検査が行われている（例えば、特許文献１参照）。【０００３】
ところが、シンチレーションカメラを用いた検査では、患者等は、病院や大学等に出向いて、シンチレーションカメラによって、放射性同位元素の蓄積量を測定しなければならなかった。このため、例えば、患者が在宅の場合には、放射性同位元素の蓄積量を測定することは困難であった。
【特許文献１】特開平７−３３３３４４号公報
【発明の開示】
【発明が解決しようとする課題】
【０００４】
一方、シンチレーションカメラの代わりに、輝尽性蛍光体を含有する放射線像変換板を用いた方法が考案されている。放射線像変換板は、Ｘ線フィルムに代わる二次元放射線検出媒体であり、専用の画像解析装置と組み合わせたシステムで利用されるものである。【０００５】
しかしながら、これまでの放射線像変換板の使用方法では感度がそれ程高くないために、露光時間が長く、潜像形成中に被検者と放射線像変換板との相対位置が変化しやすく、像がぶれやすいという問題点があった。
本発明は、上記事情に鑑みてなされたもので、輝尽性蛍光体を含有する放射線像変換板を備え、高感度で鮮明な像を得るための放射性同位元素検出用プローブ、および放射性同位元素検出方法を提供することを目的とする。
【課題を解決するための手段】
【０００６】
上記の目的を達成するための手段として、請求の範囲第１項の発明は、被験者の甲状腺に存在する放射性同位元素の放射線像を得るための放射性同位元素検出用プローブであって、軟質合成樹脂により形成され、首に対してほぼ一巻状に巻回される長さと、首の長さに相当する幅とを有して被験者の首に巻き付け固定可能に構成された固定具と、この固定具に支持固定され、可視光を遮光する遮光袋と、この遮光袋内に挿入され、輝尽性蛍光体を含有する放射線像変換板とを備え、前記遮光袋とこの遮光袋内に挿入される前記放射線像変換板とが、被験者の首の喉側に面するようにして前記固定具に支持固定されていることを特徴とする放射性同位元素検出用プローブである。
【０００７】
請求の範囲第２項の発明は、被験者の甲状腺に存在する放射性同位元素の放射線像を得るための放射性同位元素検出用プローブであって、中央に開口部を有する略矩形枠状の上面壁と、この上面壁の左右両側端から下方へ延出する一対の側片を備えて門形断面形状に形成され、仰向けに横たわる被験者の首に跨ぐように嵌め込まれて首に固定可能に構成された固定具と、前記上面壁の開口部に支持固定され、可視光を遮光する遮光袋と、この遮光袋内に挿入され、輝尽性蛍光体を含有する放射線像変換板とを備え、前記固定具における前記一対の側片の下端面に高さ調整用のねじ式の脚部が設けられることで前記上面壁の高さを被験者の首の高さに応じて調節できるようにされ、前記上面壁の下側及び前記一対の側片の内側には緩衝材が配されていることを特徴とする。
【発明の効果】
【００１２】
＜請求の範囲第１項および請求の範囲第２項の発明＞
本請求の範囲の発明の放射性同位元素検出用プローブは、以下のようにして使用される。すなわち、まず、放射線像変換板を挿入した遮光袋が支持固定された固定具を被験者の所定部位（例えば、首）に固定する。この状態で、所定時間経過するのを待つと、放射線像変換板に潜像が形成される。潜像が形成された後に、暗室内で放射線像変換板を遮光袋から取り出して、専用の画像解析装置により画像を得る。
【００１３】
本請求の範囲の放射性同位元素検出用プローブによれば、潜像を形成している間、放射性同位元素検出用プローブは人体の所定部位に固定されるから、放射線像変換板と所定部位の相対位置が変化せず、その結果、像がぶれず鮮明な像が得られる。
また、放射線像変換板は、遮光袋に入れられているから、形成された潜像が可視光によって消去されない。
【図面の簡単な説明】
【００１８】
【図１】図１は、第１実施形態の放射性同位元素検出用プローブの平面図である。
【図２】図２は、放射性同位元素検出用プローブの断面図（図１のＡ−Ａ断面図）である。
【図３】図３は、放射性同位元素検出用プローブの分解平面図である。
【図４】図４は、放射線像形成ユニットの表側から見た斜視図、及び裏側から見た斜視図である。
【図５】図５は、遮光袋及び放射線像変換板を示す斜視図である。
【図６】図６は、放射性同位元素検出用プローブを首に取り付けた様子を示す斜視図である。
【図７】図７は、第２実施形態の放射性同位元素検出用プローブの斜視図である。
【図８】図８は、図７の断面図である。
【図９】図９は、放射性同位元素検出用プローブの分解斜視図である。
【図１０】図１０は、コリメータの平面図（（Ａ）；コリメータＡ、（Ｂ）；コリメータＢ、（Ｃ）コリメータＣ）である。
【図１１】図１１は、放射性同位元素検出用プローブを首に取り付けた様子を示す斜視図である。
【図１２】図１２は、実施例における首−甲状腺模型の模式的斜視図である。
【図１３】図１３は、各放射性同位元素検出用プローブ使用時の画像（（Ａ）；放射性同位元素検出用プローブ使用Ａ使用時、（Ｂ）；放射性同位元素検出用プローブＢ使用時、（Ｃ）；放射性同位元素検出用プローブＣ使用時、（Ｄ）；放射性同位元素検出用プローブＤ使用時）である。
【図１４】図１４は、参考例の放射性同位元素検出用プローブの斜視図である。
【図１５】図１５は、遮光袋内に収められた放射線像変換板胸当て部に収容する様子を示す部分拡大斜視図である。
【図１６】図１６は、放射性同位元素検出用プローブを被験者の胴体部に装着した様子を示す斜視図である。
【符号の説明】
【００１９】
１…放射性同位元素検出用プローブ
３…首（所定部位）
５…固定具
７…放射線像形成ユニット
１３…放射線像変換板
１５…遮光袋
１７…布袋（緩衝材）
【発明を実施するための最良の形態】
【００２０】
＜第１実施形態＞
本発明の第１実施形態について図１から図６を参照して説明する。本実施形態の放射性同位元素検出用プローブ１は、被験者の甲状腺（所定器官に相当）に蓄積している123Ｉ及び131Ｉの放射線像を得るためのものである。この放射性同位元素検出用プローブ１は、全体として湾曲帯状に形成されており、被験者の首３（所定部位に相当）に巻き付けることによって首３に固定可能に構成された固定具５と、この固定具５の中央付近に着脱自在に装着された放射線像形成ユニット７とからなる。【００２１】
固定具５は、全体として湾曲帯状の例えば発砲ウレタン樹脂などの軟質合成樹脂製で、首３に対してほぼ一巻状に巻回される長さと、首３の長さに相当する幅とを有する。固定具５の片端には、面ファスナ９Ａを備えたバンド９が取り付けられており、固定具５の他端付近には、バンド９の面ファスナ９Ａと係着可能な面ファスナ１１が取り付けられている。固定具５は、首３に巻き付けた状態で、面上ファスナ９Ａ，１１同士を係着させることで首３に固定されるようになっている。【００２２】
放射線像形成ユニット７は、全体として湾曲帯状で、固定具５の長さのほぼ１／３程度の長さで、かつ固定具５とほぼ同一幅とされ、その裏面の縁部６カ所に面ファスナ７Ａが設けられており、この面ファスナ７Ａが固定具５の表面に設けられた面ファスナ５Ａと係着して固定されるようになっている。放射線像形成ユニット７は、詳細には、図５に示すように輝尽性蛍光体を含有する放射線像変換板１３を可視光を遮る遮光袋１５に挿入し、図４に示すようにさらに遮光袋１５を布袋１７（本発明の緩衝材に相当）に挿入してなる。【００２３】
放射線像変換板１３としては、例えば、富士写真フィルム（株）製の商品名：イメージングプレートを用いることができる。遮光袋１５は、放射線像変換板１３に形成された潜像が可視光により消去されることを防止するためのもので、例えばポリエチレンにアルミニウムをラミネートした素材からなる遮光袋１５を使用できる。布袋１７は、被験者の首３の皮膚を傷つけないように表面の柔らかな素材からなるものが好ましい。【００２４】
次に、上記構成からなる本実施形態の放射性元素検出用プローブ１の作用効果について説明する。
まず、輝尽性蛍光体を含有する放射線像変換板１３を遮光袋１５に挿入し、さらに遮光袋１５を布袋１７に挿入して放射線像形成ユニット７とする。そして、この放射線像形成ユニット７を固定具５に装着して放射性同位元素検出用プローブ１とし、放射性同位元素検出用プローブ１を放射線像形成ユニット７が被験者の首３の喉側に面するようにして首３に固定する（図６参照）。このようにすると、甲状腺と放射線像変換板１３とが対面し、放射線像変換板１３に潜像が形成される。【００２５】
次に、固定状態のまま所定時間、例えば３〜２０分間経過するのを待つ。なお、この待ち時間の間に、被験者は自由に姿勢を変えることもでき、歩行や仕事をすることも可能である。放射性同位元素検出用プローブ１の首３への固定により、甲状腺と放射線像変換板１３との相対位置が変化しないからである。【００２６】
その後、放射性同位元素検出用プローブ１を首３から外し、放射性同位元素検出用プローブ１から放射線像形成ユニット７を外す。放射線像形成ユニット７又は放射線像形成ユニット７から取り出した遮光袋１５を暗室内に運び、放射線像変換板１３を取り出して、専用の画像解析装置（例えば、BAS-2500  富士写真フィルム）により画像を得る。【００２７】
本実施形態の放射性同位元素検出用プローブ１によれば、潜像を形成している間、放射性同位元素検出用プローブ１は被験者体の首３と固定されるから、甲状腺と放射線像変換板１３との相対位置が変化せず、その結果、像がぶれず鮮明な像が得られる。【００２８】
また、放射線像形成ユニット７と首３とをほぼ密着状態とすることができ、放射線像変換板１３と甲状腺との距離が近くなるから、感度が向上する。
また、本実施形態の放射性同位元素検出用プローブ１によれば、放射性同位元素検出用プローブ１から、放射線像形成ユニット７及び遮光袋１５が着脱可能に構成されているから、放射線像形成ユニット７又は遮光袋１５を暗室内に運び解析すればよく、運搬に便利である。【００２９】
＜第２実施形態＞
本発明の第２実施形態について図７から図１３を参照して説明する。なお、第１実施形態と同じ構成については、同一の符号を付し、構造、作用及び効果の説明は省略する。
第２実施形態では、主として固定具５の構造及びコリメータ２１を備える点が第１実施形態と異なっている。【００３０】
本実施形態の放射性同位元素検出用プローブ１は、第１実施形態と同様に、被験者の甲状腺に蓄積している123Ｉ及び131Ｉの放射線像を得るためのものである。この放射性同位元素検出用プローブ１は、図７〜９に示すように全体として門形断面形状に形成されており、ベット上に仰向けに横たわる被験者の首３に跨ぐように嵌め込まれて首３に固定可能に構成されている（図１１参照）。【００３１】
固定具５は、図９に示すように、中央に開口部を有する略矩形枠状の上面壁２３と、上面壁２３の左右両側端から下方へ延出する一対の側片２５と、上面壁２３の開口部を覆う蓋部２７により構成され全体として門形状をなしている。各側片２５の下端面には、高さ調整用のねじ式の脚部２５Ａが設けられている。脚部２５Ａは、その雄ねじ部が側片２５の下端面から上方に向かって穿設されたねじ孔２５Ｂに螺合されており、脚部２５Ａを右回り又は左回りにまわすことで、上面壁２３が上下方向に変位するようにされている。このようにして、上面壁２３の高さを被験者の首の高さに応じて調節できるようになっている。【００３２】
上面壁２３と蓋部２７との間には、下から順にコリメータ２１、輝尽性蛍光体を含有する放射線像変換板１３を挿入した遮光袋１５がほぼ水平に配されており、締め金具２８を締めることにより、コリメータ２１と遮光袋１５とが圧着されつつ、上面壁２３と蓋部２７間に挟持される。そして、コリメータ２１の下面が開口から露出するようにされている。なお、図８、９に示すように、コリメータ２１の下面及び両側片２５の内側には、ポリウレタンスポンジ等の弾性樹脂２９Ａ周りに柔らかい布２９Ｂを被覆した緩衝材２９が配されており、これらの緩衝材２９により首３を傷つけないようにするとともに、首３がこれらの緩衝材２９により三方向から支持固定され、首３が若干左右に若干振れたとしても固定具５と首３の相対位置が変化しないようにされている。【００３３】
コリメータ２１は、全体として鉛製の板状をなし、放射線像変換板１３の面に対して交わる方向に貫通した複数の貫通孔３１が設けられている。
詳細には、コリメータ２１は図１０に示すように、例えば、高さ１０ｍｍ、壁の厚さ０．１４ｍｍ、内径３ｍｍの鉛製円筒管がハニカム状に配置して相互連結されたもの（図１０（Ａ）参照、以下コリメータＡ）や、（ｂ）高さ２０ｍｍ、壁の厚さ０．１４ｍｍ、内径２ｍｍの鉛製円筒管がハニカム状に配置して相互連結されたもの（図１０（Ｂ）参照、以下コリメータＢ）や、（ｃ）高さ４０ｍｍ、壁の厚さ０．２ｍｍ、対角径２ｍｍの鉛製正六角形の管がハニカム状に配置して相互連結されたもの（図１０（Ｃ）参照、以下コリメータＣ）が使用される。【００３４】
本実施形態の構成によれば、コリメータ２１が備えられているから、貫通孔３１の方向の放射線が選択的に通過して、放射線像変換板１３に形成される像の解像度が向上する。
また、本実施形態の放射性同位元素検出用プローブ１は、人の首３に密着使用するので、放射線像変換板１３と甲状腺との距離が近くなるから、感度がよい。
また、本実施形態の放射性同位元素検出用プローブ１を用いたシステムでは、放射性同位元素検出用プローブ１は、画像解析装置とは分離可能で、かつ小形軽量であるため、被験者の病室や、在宅の被験者の自宅まで放射性同位元素検出用プローブ１のみを運搬し、潜像を形成後、放射性同位元素検出用プローブ１を、検査室に持ち帰り画像解析装置により解析すればよい。従って、重症の患者、高齢者が検査室に出向く必要はなく、これらのものの負担を著しく軽減することができる。【００３５】
＜実施例＞
ここで、第２実施形態の放射性元素検出用プローブ１を用いて行った実験について詳細に説明する。
＜放射性同位元素検出用プローブＡ＞
放射線像変換板１３として、イメージングプレート（医療用ＩＰ；ＳＴ−III、富士写真フイルム）を１１０ｍｍ×２００ｍｍに切断して使用した。
イメージングプレートは使用の直前に３０分間消去器を用いて残像を消去した。そして、イメージングプレートは、白色光（可視光）による潜像消去を防ぐために遮光袋１５に挿入した。そして、上記コリメータＡと合わせた状態で固定具５にセットし図７に示す放射性同位元素検出用プローブＡとした。【００３６】
＜放射性同位元素検出用プローブＢ＞
コリメータＢを使用した以外は、放射性同位元素検出用プローブＡと同様にして放射性同位元素検出用プローブＢを作製した。
＜放射性同位元素検出用プローブＣ＞
コリメータＣを使用した以外は、放射性同位元素検出用プローブＡと同様にして放射性同位元素検出用プローブＣを作製した。
＜放射性同位元素検出用プローブＤ＞
コリメータを使用しないこと以外は、放射性同位元素検出用プローブＡと同様にして放射性同位元素検出用プローブＤを作製した。【００３７】
＜放射線像の形成及び解析＞
放射性同位元素検出用プローブＡ〜Ｄをそれぞれ図１２に示す首−甲状腺模型３６にセットした。この首−甲状腺模型３６は、容積２０ｍｌの中空の人体甲状腺模型３３（京都科学製；１．８ｍｍ厚メタクリル樹脂製）を備えた模型３７と、この模型３７を包囲する上下有底円筒状の首模型４１（０．５ｍｍ厚メタクリル樹脂製）とからなる。（なお、首模型４１は、側壁の一部を開口させ、ここに０．２５ｍｍ厚のアクリルフィルム４１Ａを嵌めこんである）。そして、人体甲状腺模型３３には合計で123Ｉ  １MBqを充填し、更に首模型４１内に水を充填してある。なお、放射性同位元素検出用プローブＡ〜Ｄを首−甲状腺模型３６にセットする際には、首模型４１の開口に嵌めこまれたアクリルフィルム４１Ａがコリメータ２１と対面するように配した。
照射時間は１０分間とし、照射後のイメージングプレートを画像解析装置（BAS-2500  富士写真フィルム）、パーソナルコンピュータ(Power Mac 8500/180,Apple Computer)、測定ソフト(Image Reader ver.3.30  富士写真フィルム)、解析ソフト（Image Gauge ver.3.30  富士写真フイルム）により解析した。画像解析装置の読み取り感度はＳ１０００に設定した。【００３８】
結果を図１３に示す。なお、（Ａ)は放射性同位元素検出用プローブＡ使用時、（Ｂ)は放射性同位元素検出用プローブＢ使用時、（Ｃ)は放射性同位元素検出用プローブＣ使用時、（Ｄ）は放射性同位元素検出用プローブＤ使用時の画像である。放射性同位元素検出用プローブＡ〜Ｃを使用した場合は、コリメータ無しの放射性同位元素検出用プローブＤ使用時よりも画像の解像度が向上し、人体甲状腺模型３３の形状が明確に観察された。【００３９】
＜参考例＞
以下、本発明の参考例について、図１４〜図１６を参照しつつ説明する。本参考例の放射性同位元素検出用プローブ５０は、被験者Ｓの胴体部Ｂ（本発明の所定部位に該当）に存在する肺、肝臓、胃腸、骨髄等の器官（本発明の所定器官に該当）に蓄積する放射性同位元素の放射線像を得るためのものである。
【００４０】
本参考例の放射性同位元素検出用プローブ５０は、被験者Ｓの胴体部Ｂに取り付けられるエプロン部５１（本発明の固定具に該当する）と、このエプロン部５１に装着される遮光袋５９および放射線像変換板５８とを備えている（図１４参照）。
エプロン部５１は、被験者Ｓの胴体部Ｂにおいて胸側に宛がわれる胸当て部５２（本発明の緩衝材に該当する）と、および背中側に宛がわれる背当て部５３（同じく本発明の緩衝材に該当する）を備えている。
【００４１】
胸当て部５２は、綿などの布地により矩形の袋状に形成されたもので、その大きさは被験者Ｓの胸部のほぼ全体を覆うことが可能な大きさとされている。この胸当て部５２において開口部５２Ａの内側には、開口縁に沿って長尺の面ファスナ５２Ｂが取り付けられ、これにより袋の口を開閉できるようにされている。一方、背当て部５３は、胸当て部５２とほぼ同形の矩形袋状に形成されており、その開口部５３Ａは同様に面ファスナ５３Ｂにより開閉できるようにされている。これら胸当て部５２および背当て部５３は、それぞれ開口部５２Ａ、５３Ａを下側にして被験者Ｓに装着される。【００４２】
胸当て部５２の上端縁（開口縁と対向する側の縁部）には、左右方向の中央よりやや外側位置に、一対の肩紐部５４の一端部が接続されており、この肩紐部５４の他端部は、背当て部５３の上端縁（開口縁と対向する側の縁部）において左右方向の中央よりやや外側位置にそれぞれ接続されている。一対の肩紐部５４の間隔は、被験者Ｓの頭部および首部が通過可能な間隔とされている。これらの肩紐部５４にはアジャスタ５５が備えられており、長さを自在に調節できるようにされている。【００４３】
背当て部５３の両側縁下端位置からは、それぞれ帯部５６が幅方向外側に向かって延出されている。この帯部５６において、被験者Ｓが装着した際に内側（被験者Ｓの胴体部Ｂと対向する側）となる面には、ほぼ全面にわたって面ファスナ５７のループテープ５７Ａが取り付けられている。一方、胸当て部５２には、被験者Ｓが装着した際に外側となる面の下端位置において左右両端位置に、それぞれ面ファスナ５７においてループテープ５７Ａと対となるフックテープ５７Ｂが取り付けられている。この面ファスナ５７により、帯部５６を延出方向の任意位置において胸当て部５２に固着することができる。【００４４】
胸当て部５２および背当て部５３の内部には、遮光袋５９の内部に収容された放射線像変換板５８が収容される。放射線像変換板５８としては、上記実施形態と同様、輝尽性蛍光体を含有するものであって、例えば、富士写真フィルム（株）製の商品名：イメージングプレートを用いることができる。遮光袋５９としては、上記実施形態と同様、可視光を遮ることで、放射線像変換板５８に形成された潜像が消去されることを防止できるものであればよく、例えばポリエチレンにアルミニウムをラミネートした素材からなるものを使用できる。【００４５】
この放射性同位元素検出用プローブ５０を用いて被験者Ｓの検査を行う際には、まず、遮光袋５９内に収められた放射線像変換板５８を、エプロン部５１における胸当て部５２および背当て部５３の内部に収容し、開口部５２Ａ、５３Ａを閉じる（図１５参照）。【００４６】
次に、エプロン部５１を被験者Ｓの胴体部Ｂに装着する（図１６参照）。まず、一対の肩紐部５４の間に被験者Ｓの首を通し、胸当て部５２が被験者Ｓの胸部、背当て部５３が背部に配されるようにして肩から吊り下げる。このとき、アジャスタ５５を操作して胸当て部５２および背当て部５３の高さが胸部および背部の検査したい位置に合致するように調整する。次いで、被験者Ｓの胸部に胸当て部５をが、背部に背当て部５３を密着させつつ、帯部５６を胸側に巻き付け、面ファスナ５７によってこの帯部５６と胸当て部５３とを固着する。このとき、帯部５６の内側面には、ほぼ全面にわたってループテープ５７Ａが取り付けられているから、被験者Ｓの体格に応じて帯部５６の巻き付け量を調整し、帯部５６の延出方向の適切な位置において胸当て部５２側のフックテープ５７Ｂに固着することができる。
このようにして、被験者Ｓの胸部に胸当て部５２が、背部に背当て部５３がほぼ密着状態に宛がわれた状態でエプロン部５１が固定される。【００４７】
なお、例えば被験者Ｓの腹部や腰部を検査したい場合には、アジャスタ５５を操作して胸当て部５２および背当て部５３の高さが腹部および腰部に合致するように調整すればよい。【００４８】
この状態で、所定時間、例えば３〜２０分間経過するのを待ち、放射線像変換板５８に潜像を形成させる。なお、この待ち時間の間に、被験者Ｓは胸当て部５２および背当て部５３の被験者Ｓの胴体部Ｂに対する相対位置が大きく変化しない範囲で自由に姿勢を変えることもでき、歩行や簡単な仕事等をすることも可能である。
所定時間経過後、エプロン部５１を被験者Ｓの胴体部Ｂから外し、放射線像変換板５８の入った遮光袋５９を胸当て部５２および背当て部５３から取り外す。そして、この遮光袋５９を暗室内に運び、放射線像変換板５８を取り出して、専用の画像解析装置（例えば、BAS-2500  富士写真フィルム）により解析する。被験者Ｓが例えば６０Ｃｏ、１３７Ｃｓ等の放射性物質を吸い込むこと等によりこれらの放射性物質が体内の各器官に蓄積されていれば、これらの放射性物質から発せられる放射線により、蓄積されている器官の位置や蓄積量に対応した画像が得られる。【００４９】
以上のように本参考例においても、潜像を形成している間、放射性同位元素検出用プローブ５０が被験者Ｓの胸部および背部にほぼ密着状態に固定されるから、放射線像変換板５８と胸部および背部との相対位置が変化せず、その結果、像がぶれず鮮明な像が得られる。また、従来のホールボディカウンタを使用する場合のような大掛かりな装置が必要なく、被験者Ｓを長時間拘束することもないため、例えば原子力施設で働く作業員の内部被曝の有無の簡易な検査等に応用することができる。
【００５０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記第１実施形態では、コリメータ２１を使用しない例を示したが、第２実施形態と同様にコリメータ２１を使用したものであってもよい。
（２）上記第２実施形態では、コリメータ２１は、所定の管がハニカム状に配置されたものを例示したが、コリメータ２１を形成する管の形状、サイズ等は特に限定されない。また、管を集合させたコリメータ２１に限定されず、鉛含有板に複数の貫通孔３１を穿設したものであっても構わない。また、コリメータ２１の材質は鉛に限定されるものではなく、鉛以外の金属も使用可能である。
（３）上記に例示した放射性同位元素の他に、125I、99mＴｃ、201Ｔｌ、87Ｇａ、60Ｃｏ、137Ｃｓ、241Ａｎ、その他人体を通過して人体外から検出されるような放射線を放出する放射性同位元素の像を得るために本発明の放射性同位元素検出用プローブを使用しても構わない。
【図１】
0004882070.tif 000002
【図２】
0004882070.tif 000003
【図３】
0004882070.tif 000004
【図４】
0004882070.tif 000005
【図５】
0004882070.tif 000006
【図６】
0004882070.tif 000007
【図７】
0004882070.tif 000008
【図８】
0004882070.tif 000009
【図９】
0004882070.tif 000010
【図１０】
0004882070.tif 000011
【図１１】
0004882070.tif 000012
【図１２】
0004882070.tif 000013
【図１３】
0004882070.tif 000014
【図１４】
0004882070.tif 000015
【図１５】
0004882070.tif 000016
【図１６】
0004882070.tif 000017